(57)【特許請求の範囲】
【請求項１】
表示部（３２）と、
前記表示部の表示動作を制御する制御部（６０）と、
ユーザからの指示入力を受け付ける操作受け部（３７，３８）と、
を備え、
前記表示部は、
運転モードの設定及び前記運転モード以外の機能設定が変更される時の画面であって、前記運転モードの設定と前記運転モード以外の機能設定とが複数の階層の表示のうちの同一の階層に含まれる第１表示（３２ｂ）を有し、前記操作受け部の操作手順を報知する操作表示（４１，４２）を含む選択画面と、
前記運転モードの設定及び前記運転モード以外の機能設定が変更されない時の画面である通常表示画面（３２ａ）と、
のいずれか一方を選択的に表示可能であり、
前記制御部は、
前記運転モードの設定が選択され前記運転モードが実行された場合に、前記通常表示画面が表示されるように前記表示部の表示動作を制御し、
前記運転モード以外の機能設定が選択され前記運転モード以外の機能設定が為された場合に、前記選択画面の有する所定階層の表示が表示されるように前記表示部の表示動作を制御する、
空気調和機（１００）のリモコン（１）。
【請求項２】
前記通常表示画面には、実行されている前記運転モードが表示される、
請求項１に記載の空気調和機のリモコン。
【請求項３】
前記選択画面は、前記第１表示から少なくとも１階層下であり前記運転モードの設定または前記運転モード以外の機能設定の設定完了を報知するための設定完了表示（３２ｇ，３２ｈ）を更に有し、
前記制御部は、前記運転モードの設定または前記運転モード以外の機能設定が決定された場合に前記設定完了表示が表示されるように前記表示部の表示動作を制御する、
請求項１または２に記載の空気調和機のリモコン。
【請求項４】
前記選択画面は、前記第１表示から１階層下であり前記運転モード以外の機能設定における所定の機能項目の設定または前記運転モードにおける所定の運転項目の設定を含む第２表示（３２ｃ，３２ｄ）を更に有し、
前記制御部は、前記所定の機能項目の設定または前記所定の運転項目の設定が決定された場合に前記設定完了表示が表示されるように前記表示部の表示動作を制御する、
請求項３に記載の空気調和機のリモコン。
【請求項５】
前記選択画面は、前記設定完了表示の１階層上であり決定された前記設定の設定内容を報知する設定表示（３２ｅ，３２ｆ）を更に有し、
前記所定階層の表示は、前記設定表示から１階層上の階層の表示である、
請求項３または４に記載の空気調和機のリモコン。
【請求項６】
前記第１表示、前記第２表示および前記設定表示は、前記操作表示を更に含む、
請求項５に記載の空気調和機のリモコン。
【発明の詳細な説明】
【技術分野】
【０００１】
本発明は、空気調和機のリモコンに関する。
【背景技術】
【０００２】
従来より、複数の機能を有し、この複数の機能に対応する複数の機能設定ボタンが設けられているリモコンを備える空気調和機がある。この空気調和機では、機能設定ボタンが複数個設けられているため、リモコンの操作が煩雑になるおそれがある。
【０００３】
そこで、複数の機能設定の表示を含む機能メニュー表示画面を表示する表示部を備える空気調和機のリモコンが提案されている（特許文献１参照）。この空気調和機のリモコンでは、機能メニュー表示画面で選択された機能において更に下位に選択肢がある場合、表示部には、この下位の選択肢の機能を選択するためのサブ機能メニュー表示画面が更に表示される。このため、ユーザは、表示される機能メニュー表示画面に沿って機能設定を選択することで、空気調和機の各種機能設定を容易に変更することができる。
【特許文献１】特開２００２−２２２５０号公報
【発明の開示】
【発明が解決しようとする課題】
【０００４】
しかしながら、この空気調和機のリモコンでは、選択された機能が空気調和機において実行された場合、表示部には機能メニュー表示画面が再び表示される。このため、表示部に通常表示画面を表示させる場合、ユーザは、表示部の表示を機能メニュー画面から通常表示画面に切り換える操作を行わなければならない。
【０００５】
そこで、本発明の課題は、ユーザの操作負担を軽減させることができる空気調和機のリモコンを提供することにある。
【課題を解決するための手段】
【０００６】
第１発明に係る空気調和機のリモコンは、表示部と、制御部と、操作受け部と、を備える。表示部は、通常表示画面と選択画面とのいずれか一方を選択的に表示可能である。通常表示画面は、運転モードの設定及び運転モード以外の機能設定が変更されない時の画面である。選択画面は、運転モードの設定及び運転モード以外の機能設定が変更される時の画面である。また、選択画面は、複数の階層の表示で構成されている。また、選択画面は、第１表示を有する。第１表示には、運転モードの設定と運転モード以外の機能設定とが同一の階層に含まれる。さらに、選択画面は、操作受け部の操作手順を報知する操作表示を含む。制御部は、運転モード設定が選択され運転モードが実行された場合に、通常表示画面が表示されるように、表示部の表示動作を制御する。また、制御部は、運転モード以外の機能設定が選択され運転モード以外の機能設定が為された場合に、選択画面の有する所定階層の表示が表示されるように、表示部の表示動作を制御する。操作受け部は、ユーザからの指示入力を受け付ける。
【０００７】
第１発明に係る空気調和機のリモコンでは、選択画面において運転モードの設定が選択され運転モードが実行された場合、表示部には、通常表示画面が表示される。このため、ユーザは、表示部の表示を選択画面から通常表示画面に切り換える操作を行わなくても、表示部には自動的に通常表示画面が表示される。このため、表示部の表示を選択画面から通常表示画面に切り換える操作をなくすことができる。
【０００８】
これによって、ユーザの操作負担を軽減させることができる。
【０００９】
また、操作表示では、操作受け部の操作手順が報知されるため、ユーザは、この操作表示を参考にして操作受け部の操作を行うことができる。したがって、ユーザは、運転モードの設定および運転モード以外の機能設定を容易に行うことができる。
【００１０】
第２発明に係る空気調和機のリモコンは、第１発明の空気調和機のリモコンであって、通常表示画面には、実行されている運転モードが表示される。このため、例えば、運転モードが変更された場合、ユーザは、表示部の表示によって現在実行されている運転モードを確認することができる。
【００１１】
これによって、運転モードの変更をユーザに認識させやすくすることができる。
【００１２】
第３発明に係る空気調和機のリモコンは、第１発明または第２発明に係る空気調和機のリモコンであって、選択画面は、設定完了表示を更に有する。設定完了表示は、第１表示から少なくとも１階層下の表示である。また、設定完了表示では、運転モードの設定または運転モード以外の機能設定の設定完了が報知される。さらに、制御部は、運転モードの設定または運転モード以外の機能設定が決定された場合に、設定完了表示が表示されるように表示部の表示動作を制御する。
【００１３】
第３発明に係る空気調和機のリモコンでは、表示部には、運転モードの設定または運転モード以外の機能設定が決定された場合に、設定完了表示が表示される。このため、ユーザは、空気調和機の運転モードの設定または運転モード以外の機能設定が完了したことを表示部の表示によって確認することができる。
【００１４】
これによって、ユーザに運転モードの設定または運転モード以外の機能設定が完了したことを認識させやすくすることができる。
【００１５】
第４発明に係る空気調和機のリモコンは、第１発明または第２発明に係る空気調和機のリモコンであって、選択画面は、第２表示を更に有する。第２表示は、第１表示から１階層下の表示である。また、第２表示は、運転モード以外の機能設定における所定の設定項目の設定または運転モードにおける所定の運転項目の設定を含む。さらに、制御部は、所定の設定項目および所定の運転項目が決定された場合に、設定完了表示が表示されるように表示部の表示動作を制御する。
【００１６】
第４発明に係る空気調和機では、表示部には、所定の設定項目および所定の運転項目が決定された場合に、設定完了表示が表示される。このため、ユーザは、空気調和機の所定の設定項目の設定および所定の運転項目の設定が完了したことを表示部の表示によって確認することができる。
【００１７】
これによって、ユーザに所定の設定項目の設定および所定の運転項目の設定が完了したことを認識させやすくすることができる。
【００１８】
第５発明に係る空気調和機のリモコンは、第３発明のまたは第４発明の空気調和機のリモコンであって、選択画面は、設定表示を更に有する。設定表示は、設定完了表示の１階層上の表示である。また、設定表示では、決定された設定の設定内容が報知される。さらに、所定階層の表示は、設定表示から１階層上の階層の表示である。このため、例えば、第２表示において所定の設定項目が決定される場合、表示部の表示は、通常表示画面、第１表示、第２表示、設定表示そして設定完了表示の順に切り替わり、さらに、設定完了表示から第２表示に切り替わる。したがって、ユーザは、第２表示に表示される他の設定項目を引き続き選択することができる。
【００１９】
これによって、ユーザの操作負担を減らすことができる。
【００２０】
第６発明に係る空気調和機のリモコンは、第５発明の空気調和機のリモコンであって、第１表示、第２表示および設定表示は、操作表示を更に含む。操作表示では、操作受け部の操作手順が報知されるため、ユーザは、この操作表示を参考にして操作受け部の操作を行うことができる。したがって、ユーザは、運転モードの設定および運転モード以外の機能設定を容易に行うことができる。
【００２１】
これによって、この空気調和機のリモコンでは、操作性を向上させることができる。
【発明の効果】
【００２２】
第１発明に係る空気調和機のリモコンでは、ユーザの操作負担を軽減させることができる。
【００２３】
第２発明に係る空気調和機のリモコンでは、運転モードの変更をユーザに認識させやすくすることができる。
【００２４】
第３発明に係る空気調和機のリモコンでは、ユーザに運転モードの設定または運転モード以外の機能設定が完了したことを認識させやすくすることができる。
【００２５】
第４発明に係る空気調和機のリモコンでは、ユーザに所定の設定項目の設定および所定の運転項目の設定が完了したことを認識させやすくすることができる。
【００２６】
第５発明に係る空気調和機のリモコンでは、ユーザの操作負担を減らすことができる。
【００２７】
第６発明に係る空気調和機のリモコンでは、操作性を向上させることができる。
【発明を実施するための最良の形態】
【００２８】
＜空気調和機の構成概略＞
本発明の一実施形態に係るリモコン１を有する空気調和機１００の概略構成を図１に示す。この空気調和機１００は、室内の壁面等に取り付けられる室内機２と、室外に配置される室外機３とを備えている。室外機３は、室外熱交換器１０や室外ファン１１等を収容する室外空調ユニット８と、加湿空気を室内機２に搬送する加湿ユニット９とを有している。
【００２９】
室外空調ユニット８内には、圧縮機４、室外熱交換器１０、膨張弁６、四路切換弁５が冷媒配管によって接続されて構成される室外冷媒回路が収容されている。また、室内機２内には、室内熱交換器７が冷媒配管によって接続されて構成される室内冷媒回路が収容されている。また、室内機２と室外空調ユニット８との間には冷媒配管が配設されており、室外冷媒回路と室内冷媒回路とはこの冷媒配管によって接続されている。
【００３０】
加湿ユニット９は、空気中の水分を吸着し、加熱されることによって吸着した水分を離脱する性質を有する多孔質のゼオライト等を円盤形状にした加湿ロータと、この加湿ロータを回転駆動するロータ駆動モータと、外気を導入して加湿ロータに水分を吸着させるための空気流を生成する吸着ファン２０と、加湿ロータに吸着した水分を離脱させるためのヒータと、加湿ロータから離脱した水分を含む加湿空気を室内機２側に搬送する空気流を生成する加湿ファン２１とを備えている。
【００３１】
加湿ユニット９と室内機２との間には、加湿ユニット９からの加湿空気を室内機２に搬送するための加湿空気用配管２２が設けられている。
【００３２】
さらに、室内機２には、制御装置６１が内蔵されている。制御装置６１は、リモコン１から送信される制御信号に基づいて、空気調和機１００を制御する。次に、リモコン１について説明する。
【００３３】
＜リモコンの構成概略＞
リモコン１は、図２、図３および図４に示すように、リモコンケーシング３１と、表示部３２と、操作ボタン３０と、制御部６０とを備えている。
【００３４】
リモコンケーシング３１は、図２に示すように、略直方体形状を呈しており、内側に制御部６０等を収容する。また、リモコンケーシング３１は、図３に示すように、パネル３１ｂを有している。パネル３１ｂは、リモコンケーシング３１の前面３１ａを覆うように開閉可能に取り付けられている。具体的には、パネル３１ｂは、閉じている状態ではリモコンケーシング３１の前面３１ａを覆い、開いている状態ではリモコンケーシング３１の前面３１ａを外部に露出させる。
【００３５】
表示部３２は、液晶表示装置によって構成されており、通常表示画面３２ａまたはメニュー表示画面のいずれかの画面を選択的に表示することができる。なお、通常表示画面３２ａおよびメニュー表示画面については、後に詳細に説明する。
【００３６】
操作ボタン３０は、リモコンケーシング３１の前面３１ａおよびパネル３１ｂに設けられている。パネル３１ｂには、「運転／停止」ボタン３３、「温度」ボタン３４および「しつど」ボタン３５等の操作ボタン３０が設けられている。「運転／停止」ボタン３３は、ユーザからの空気調和機１００の運転の開始や運転の停止の指示を受け付ける。「温度」ボタン３４および「しつど」ボタン３５は、ユーザからの調和空気における設定温度や設定湿度などの指示を受け付ける。
【００３７】
また、リモコンケーシング３１の前面３１ａには、「メニュー」ボタン３６、「選択」ボタン３７、「決定」ボタン３８および「戻る」ボタン３９等の操作ボタン３０が設けられている。
【００３８】
「メニュー」ボタン３６は、ユーザが運転モードまたは機能設定を変更するときに操作するボタンである。「メニュー」ボタン３６が押されると、表示部３２には、メニュー表示画面が表示される。
【００３９】
「選択」ボタン３７は、メニュー表示画面において、ユーザが任意の項目を指定するためのカーソル４０を移動させるときに操作するボタンである。「選択」ボタン３７には、上下方向を指す２つのマークが印字されている。ユーザは、「選択」ボタン３７のマークを押すことによって、このマークに対応した方向にカーソル４０を移動させることができる。
【００４０】
「決定」ボタン３８は、ユーザがメニュー画面において表示されている項目を決定するときに操作するボタンである。ユーザは「決定」ボタン３８を押すことによって、カーソル４０によって指定されている項目を決定することができる。
【００４１】
「戻る」ボタン３９は、ユーザが表示部３２の表示を１階層上の表示に切り換えるときに操作するボタンである。表示部３２の表示を切り換えるときとは、例えば、表示部３２の表示をメニュー表示画面の第１表示３２ｂから通常表示画面３２ａに戻す場合や、メニュー表示画面の第２表示３２ｃを１階層上の表示である第１表示３２ｂに戻す場合などである。
【００４２】
制御部６０は、図４に示すように、「運転／停止」ボタン３３、「メニュー」ボタン３６、「選択」ボタン３７、「決定」ボタン３８および「戻る」ボタン３９等の操作ボタン３０と接続されており、上述のように、操作ボタン３０が押されることによって指示される運転モード等の制御信号を室内機２の制御装置６１に送信する。また、制御部６０は、表示部３２と接続されており、操作ボタン３０が押されることによって指示される制御信号に基づいて、表示部３２に表示される画面を切り換える。例えば、ユーザによって「運転／停止」ボタン３３が押され空気調和機１００が運転を開始した場合、制御部６０は、表示部３２に通常表示画面３２ａを表示させる。また、表示部３２に通常表示画面３２ａが表示されている状態でユーザによって「メニュー」ボタン３６が押された場合、制御部６０は、表示部３２の表示を通常表示画面３２ａからメニュー表示画面の第１表示３２ｂに切り換える。なお、表示部３２に表示される画面は、メモリ９０に記憶されている。
【００４３】
次に、表示部３２に表示される通常表示画面３２ａおよびメニュー表示画面について説明する。
【００４４】
＜通常表示画面およびメニュー表示画面＞
通常表示画面３２ａには、図５に示すように、現在の時刻の表示１０１、現在設定されている調和空気の温度の表示１０２、現在設定されている調和空気の湿度の表示１０３および現在実行されている運転モードの表示１０４等が含まれる。なお、図５から図１２においては、リモコンケーシング３１の前面３１ａが外部に露出している状態の図であるため、パネル３１ｂの図示を省略している。
【００４５】
メニュー表示画面は、階層的に構成されており、第１表示３２ｂ、第２表示３２ｃ，３２ｄ、第３表示（図示せず）、設定表示３２ｅ，３２ｆおよび設定完了表示３２ｇ，３２ｈを有する。
【００４６】
第１表示３２ｂは、メニュー表示画面の有する複数の階層のうちの１つであり、図６に示すように、運転モードの設定の表示と各種機能設定の表示とを含む。このため、運転モードの設定の表示と各種機能設定の表示とは、同一の階層に表示されていることになる。なお、運転モードの設定の表示には、「美肌運転」、「快眠コース」、「換気・空気清浄」、「ハウスキープ」等が含まれる。また、機能設定の表示には、「気流設定」、「タイマー設定」、「換気連動設定」、「機能設定」、「表示・音設定」、「時計合せ」、「チャイルドロック」等が含まれる。さらに、第１表示３２ｂには、操作表示が含まれる。操作表示には、「選択」の表示４１および「決定：送信」の表示４２が含まれる。
【００４７】
第２表示３２ｃ，３２ｄは、第１表示３２ｂの１階層下であり、第１表示３２ｂにおいて表示される運転モードの設定および各種機能設定におけるそれぞれの詳細な設定項目が表示される。例えば、第１表示３２ｂにおいて「美肌運転」の表示１０５が選択され決定された場合、表示部３２には、図７に示すように、「美肌冷房」の表示１０９および「美肌暖房」の表示１１０が含まれる第２表示３２ｃが表示される。また、第１表示３２ｂにおいて「表示・音設定」の表示１０６が選択された場合、表示部３２には、図８に示すように、「音声応答」の表示１０７および「ナビ設定」の表示１０８を含む第２表示３２ｄが表示される。さらに、第１表示３２ｂにおいて、「タイマー設定」の項目の表示が選択された場合、第２表示では、「時刻入タイマー」、「時刻切タイマー」および「タイマー取消」の項目を含む表示が表示される。さらに、第２表示３２ｃ，３２ｄには、「選択」の表示４１および「決定：送信」の表示４２が含まれる。
【００４８】
第３表示は、第２表示の１階層下であり、第２表示よりもさらに詳細な設定項目がある場合に表示される。例えば、第１表示３２ｂにおいて「タイマー設定」の項目が選択され、第２表示において「時刻入タイマー」の項目が選択された場合、第３表示では、「予約時刻変更」および「取消」の項目が表示される。
【００４９】
設定表示３２ｅ，３２ｆは、設定完了表示３２ｇ，３２ｈの１階層上の表示であり、第１表示３２ｂ、第２表示３２ｃ，３２ｄまたは第３表示において決定された設定内容が表示される。例えば、第２表示３２ｃにおいて「美肌冷房」の表示１０９が選択され決定された場合、表示部３２には、図９に示すように、「美肌冷房運転します」の表示１１１を含む設定表示３２ｅが表示される。また、第２表示３２ｄにおいて「音声応答」の表示１０７が選択され決定された場合、表示部３２には、図１０に示すように、「音声応答  入」の表示１１３を含む設定表示３２ｆが表示される。さらに、設定表示３２ｅ，３２ｆには、「選択」の表示４１または「決定：送信」の表示４２が含まれる。
【００５０】
設定完了表示３２ｇ，３２ｈは、メニュー表示画面における最も下の階層の表示であり、運転モードの設定の設定完了や機能設定の設定完了の報知を行うための表示である。また、表示部３２には、運転モードの設定が完了した場合には、図１１に示すように、「運転開始」の表示１１２を含む設定完了表示３２ｇが表示され、機能設定の設定が完了した場合には、図１２に示すように、「設定完了」の表示１１４を含む設定完了表示３２ｈが表示される。さらに、設定完了表示３２ｇには、「決定：送信」の表示４２が含まれる。
【００５１】
＜制御部の表示動作＞
次に、制御部６０の表示動作について、図５から図１５を用いて説明する。なお、本実施形態では、空気調和機１００は運転を開始しており、表示部３２には、通常表示画面３２ａが表示されている場合を例として説明する。
【００５２】
表示部３２に通常表示画面３２ａが表示されている状態で操作ボタン３０のうちの「メニュー」ボタン３６が押されると、制御部６０は、表示部３２の表示を通常表示画面３２ａからメニュー表示画面の第１表示３２ｂに切り換える（ステップＳ１，ステップＳ２）（図５，図６，図１３および図１４参照）。
【００５３】
さらに、表示部３２に第１表示３２ｂが表示されている状態でユーザによって「選択」ボタン３７および「決定」ボタン３８が押されると、制御部６０は、表示部３２の表示を第１表示３２ｂから第２表示３２ｃ，３２ｄに切り換える。なお、制御部６０は、第１表示３２ｂに含まれる「選択」の表示４１および「決定：送信」の表示４２が点滅するように表示部３２に表示する。また、表示部３２に第１表示３２ｂが表示されている状態で操作ボタン３０のうちの「戻る」ボタン３９が押されると、制御部６０は、表示部３２の表示を第１表示３２ｂから通常表示画面３２ａに切り換える。
【００５４】
例えば、表示部３２に第１表示３２ｂが表示されている状態でユーザによって運転モードのうちの「美肌運転」の表示１０５が選択され決定された場合、表示部３２には、「美肌運転」の表示１０５の１階層下の表示である「美肌冷房」の表示１０９および「美肌暖房」の表示１１０を含む第２表示３２ｃが表示される（ステップＳ３，ステップＳ４）（図６，図７および図１４参照）。
【００５５】
また、表示部３２に第１表示３２ｂが表示されている状態でユーザによって機能設定のうちの「表示・音設定」の表示１０６が選択され決定された場合、表示部３２には、「表示・音設定」の表示１０６の１階層下の表示である「消費電力表示」、「マルチモニタ表示」、「音量」、「音声応答」、「ナビ設定」および「コントラスト」の項目を含む第２表示３２ｄが表示される（ステップＳ５，ステップＳ６）（図６，図８および図１５参照）。
【００５６】
次に、表示部３２に第２表示３２ｃ，３２ｄが表示されている状態でユーザによって「選択」ボタン３７および「決定」ボタン３８が押されると、制御部６０は、表示部３２の表示を第２表示３２ｃ，３２ｄから設定表示３２ｅ，３２ｆに切り換える。なお、制御部６０は、第２表示３２ｃ，３２ｄに含まれる「選択」の表示４１および「決定：送信」の表示４２が点滅するように表示部３２に表示する。また、表示部３２に第２表示３２ｃ，３２ｄが表示されている状態で操作ボタン３０のうちの「戻る」ボタン３９が押されると、制御部６０は、表示部３２の表示を第２表示３２ｃ，３２ｄから第１表示３２ｂに切り換える。
【００５７】
例えば、表示部３２に「美肌冷房」の表示１０９および「美肌暖房」の表示１１０を含む第２表示３２ｃが表示されている状態でユーザによって「美肌冷房」の表示１０９が選択され決定された場合、表示部３２には、「美肌冷房」の表示１０９の１階層下の表示である「美肌冷房運転します」の表示１１１を含む設定表示３２ｅが表示される。（ステップＳ７，ステップＳ８）（図７，図９および図１４参照）。また、表示部３２に「美肌冷房」の表示１０９および「美肌暖房」の表示１１０を含む第２表示３２ｃが表示されている状態でユーザによって「戻る」ボタン３９が押された場合、表示部３２には、「美肌冷房」の表示１０９および「美肌暖房」の表示１１０を含む第２表示３２ｃから１階層上の表示である「美肌運転」の表示１０５および「表示・音設定」の表示１０６等の表示を含む第１表示３２ｂが表示される。
【００５８】
また、表示部３２に「音声応答」の表示１０７および「ナビ設定」の表示１０８等を含む第２表示３２ｄが表示されている状態でユーザによって「音声応答」の表示１０７が選択され決定された場合、表示部３２には、「音声応答」の表示１０７を含む第２表示３２ｄの１階層下の表示である「音声応答  入」の表示１１３を含む設定表示３２ｆが表示される（ステップＳ９，ステップＳ１０）（図８，図９および図１５参照）。また、表示部３２に「音声応答」の表示１０７および「ナビ設定」の表示１０８等を含む第２表示３２ｄが表示されている状態でユーザによって「戻る」ボタン３９が押された場合、表示部３２には、「音声応答」の表示１０７および「ナビ設定」の表示１０８等を含む第２表示３２ｄから１階層上の表示である「美肌運転」の表示１０５および「表示・音設定」の表示１０６等の表示を含む第１表示３２ｂが表示される。
【００５９】
そして、表示部３２に設定表示３２ｅ，３２ｆが表示されている状態で、ユーザによって「決定」ボタン３８が押されることによって、制御部６０は、表示部３２の表示を設定表示３２ｅ，３２ｆから設定完了表示３２ｇ，３２ｈに切り換える。なお、制御部６０は、設定表示３２ｅ，３２ｆに含まれる「決定：送信」の表示４２が点滅するように表示部３２に表示する。また、表示部３２に設定表示３２ｅ，３２ｆが表示されている状態で操作ボタン３０のうちの「戻る」ボタン３９が押されると、制御部６０は、表示部３２の表示を設定表示３２ｅ，３２ｆから第２表示３２ｃ，３２ｄに切り換える。なお、設定表示３２ｅ，３２ｆにおいて、さらに選択する項目がある場合には、制御部６０は、「選択」の表示４１が点滅するように表示部３２に表示する。
【００６０】
例えば、表示部３２に「美肌冷房運転します」の表示１１１を含む設定表示３２ｅが表示されている状態でユーザによって「決定」ボタン３８が押された場合、表示部３２には、「美肌冷房運転します」の表示１１１を含む設定表示３２ｅから１階層下の表示である「運転開始」の表示１１２を含む設定完了表示３２ｇが表示される（ステップＳ１１，ステップＳ１２）（図９，図１１および図１４参照）。
【００６１】
そして、表示部３２に「運転開始」の表示１１２を含む設定完了表示３２ｇが表示されている状態で、ユーザによって「決定」ボタン３８が押されると、制御部６０は、この設定情報を室内機２の制御装置６１に送信するとともに、表示部３２の表示を「運転開始」の表示１１２を含む設定完了表示３２ｇを有するメニュー表示画面から通常表示画面３２ａに切り換える（ステップＳ１５，ステップＳ１６）（図１３および図１４参照）。なお、表示部３２に「運転開始」の表示１１２を含む設定完了表示３２ｇが表示されている場合、制御部６０は、設定完了表示３２ｇに含まれる「決定：送信」の表示４２を点滅させて表示部３２に表示する。
【００６２】
また、表示部３２に「美肌冷房運転します」の表示１１１を含む設定表示３２ｅが表示されている状態でユーザによって「戻る」ボタン３９が押された場合、表示部３２には、「美肌冷房運転します」の表示１１１を含む設定表示３２ｅから１階層上の表示である「美肌冷房」の表示１０９および「美肌暖房」の表示１１０を含む第２表示３２ｃが表示される。さらに、表示部３２に「運転開始」の表示１１２を含む設定完了表示３２ｇが表示されている状態でユーザによって「戻る」ボタン３９が押された場合、表示部３２には、「運転開始」の表示１１２を含む設定完了表示３２ｇから１階層上の表示である「美肌冷房運転します」の表示１１１を含む設定表示３２ｅが表示される。
【００６３】
また、表示部３２に「音声応答  入」の表示１１３が表示されている状態で、ユーザによって「決定」ボタン３８が押された場合、表示部３２には、「音声応答  入」の表示１１３を含む設定表示３２ｆから１階層下の表示である「設定完了」の表示１１４を含む設定完了表示３２ｈが表示される（ステップＳ１３，ステップＳ１４）（図１０，図１２および図１５参照）。なお、「音声応答」の項目には、「入」および「切」の選択項目があるため、このとき表示部３２では、「選択」の表示４１が点滅して表示されている。このため、表示部３２には、「音声応答  入」の表示１１３を含む設定表示３２ｆが表示されている状態で、ユーザが選択ボタンを１回押すと「音声応答  切」が表示され、さらに選択ボタンを１回押すと「音声応答  入」の表示１１３が表示される。
【００６４】
そして、表示部３２に「設定完了」の表示１１４を含む設定完了表示３２が表示され、所定時間（例えば、３秒間）が経過すると、制御部６０は、表示部３２の表示を「設定完了」の表示１１４を含む設定完了表示３２ｈから「音声応答」の表示１０７および「ナビ設定」の表示１０８等を含む第２表示３２ｄに切り換える。
【００６５】
また、表示部３２に「音声応答  入」の表示１１３を含む設定表示３２ｆが表示されている状態でユーザによって「戻る」ボタン３９が押された場合、表示部３２には、「音声応答  入」の表示１１３を含む設定表示３２ｆから１階層上の表示である「音声応答」の表示１０７および「ナビ設定」の表示１０８等を含む第２表示３２ｄが表示される。
【００６６】
なお、第１表示３２ｂに含まれる項目である運転モードの設定および各種機能設定において、さらなる詳細な設定項目がない場合には、表示部３２には第２表示は表示されずに設定表示３２ｅ，３２ｆが表示される。また、第２表示の１階層下に第３表示がある場合には、ユーザによって第３表示に含まれる項目が選択され決定されることによって、制御部６０は、表示部３２の表示を第３表示から設定表示３２ｅ，３２ｆに切り換える。
【００６７】
＜特徴＞
（１）
従来より、複数の機能を有し、この複数の機能に対応する複数の機能設定ボタンが設けられているリモコンを備える空気調和機がある。この空気調和機では、機能設定ボタンが複数個設けられているため、リモコンの操作が煩雑になるおそれがある。
【００６８】
そこで、特開２００２−２２２５０号公報では、通常運転時に表示されている通常表示画面と複数の機能設定を含む機能メニュー表示画面とを表示可能な表示部を備える空気調和機のリモコンが提案されている。また、この空気調和機のリモコンでは、機能メニュー表示画面で選択された機能の更に下位に選択肢がある場合、この下位の選択肢の機能を選択するためのサブ機能メニュー表示画面が更に表示される。このため、ユーザは、表示される機能メニュー表示画面に沿って機能設定を選択することで、空気調和機の各種機能設定を容易に変更することができる。
【００６９】
しかしながら、この空気調和機のリモコンでは、選択された機能が空気調和機において実行された場合、表示部には機能メニュー表示画面が再び表示される。このため、表示部に通常表示画面を表示させる場合、ユーザは、表示部の表示を機能メニュー画面から通常表示画面に切り換える操作を行わなければならない。
【００７０】
そこで、上記実施形態では、表示部３２に第１表示３２ｂが表示されている状態でユーザによって「決定」ボタン３８が押されると、制御部６０は、表示部３２の表示を第１表示３２ｂから第２表示３２ｃ，３２ｄに切り換える。また、表示部３２に第２表示３２ｃ，３２ｄが表示されている状態でユーザによって「決定」ボタン３８が押されると、制御部６０は、表示部３２の表示を第２表示３２ｃ，３２ｄから設定表示３２ｅ，３２ｆに切り換える。さらに、表示部３２に設定表示３２ｅ，３２ｆが表示されている状態で、ユーザによって「決定」ボタン３８が押されることによって、制御部６０は、表示部３２の表示を設定表示３２ｅ，３２ｆから設定完了表示３２ｇ，３２ｈに切り換える。また、第１表示３２ｂにおいて、ユーザによって運転モードが選択され決定された場合、制御部６０は、表示部３２の表示を設定完了表示３２ｇから通常表示画面３２ａに切り換える。このため、ユーザが表示部３２の表示をメニュー表示画面から通常表示画面３２ａに切り換える操作を行わなくても、表示部３２には自動的に通常表示画面３２ａが表示される。したがって、表示部３２の表示をメニュー表示画面から通常表示画面３２ａに切り換える操作をなくすことができる。
【００７１】
これによって、ユーザの操作負担を軽減させることができている。
【００７２】
また、第１表示３２ｂにおいて、ユーザによって運転モード以外の各種機能設定が選択され決定された場合、制御部６０は、設定完了表示３２ｈを所定時間表示し、その後、表示部３２の表示を、設定完了表示３２ｈから設定表示３２ｆの１階層上の表示である第２表示３２ｄに切り換える。このため、ユーザは、再び「メニュー」ボタン３６を押すことなく、他の機能設定の変更を行うことができる。したがって、運転モード以外の機能設定を変更する場合において、ユーザの操作負担を軽減させることができている。
【００７３】
また、設定が完了した場合、表示部３２の表示が、メニュー表示画面の有する所定の表示から設定完了表示に切り替わる。このため、ユーザは、表示部３２表示を確認することによって、設定完了を認識することができている。
【００７４】
（２）
上記実施形態では、通常表示画面３２ａには、現在実行されている運転モードの表示１０４が含まれる。このため、ユーザによって運転モードの設定が選択され実行された場合、表示部３２に表示されている通常表示画面には、現在の運転モードの表示が含まれることになる。したがって、ユーザは、表示部３２の表示から現在の運転モードを確認することができる。
【００７５】
これによって、現在の運転モードをユーザに認識させやすくすることができている。
【００７６】
（３）
上記実施形態では、制御部６０は、第１表示、第２表示および設定表示に含まれる「選択」の表示４１および「決定：送信」の表示４２が点滅するように表示部３２に表示する。このため、ユーザは、これらの表示を参考にして操作ボタンの操作を行うことができる。したがって、ユーザは、運転モードの設定および各種機能設定を容易に変更することができる。
【００７７】
これによって、操作性を向上させることができている。
【００７８】
＜変形例＞
（Ａ）
上記実施形態では、メニュー表示画面の有する第１表示および第２表示に含まれる所定の項目の表示は予め固定されている。しかし、ユーザによって選択される頻度の高い項目の表示をメニュー表示画面の上位の階層（例えば、第１表示）に表示し、ユーザによって選択される頻度の低い項目の表示をメニュー表示画面の下位の階層（例えば、第２表示）に表示するようにしてもよい。
【００７９】
（Ｂ）
上記実施形態では、メニュー表示画面が、第１表示、第２表示、第３表示、設定表示、設定完了表示の順に階層的に構成されている。しかし、第１表示、第２表示および第３表示に含まれる所定の項目の表示を選択表示として同一の階層にまとめて表示してもよい。
【００８０】
この場合、選択表示に含まれる項目の表示は、第１表示に含まれていた表示から順に表示されるようにする。また、表示部には、選択表示においてユーザによって選択された項目のうち、さらに選択することが可能な所定の項目（例えば、選択された項目の更に詳細な設定項目等）以外の項目はグレーアウト表示される。このため、ユーザは、選択することができる項目を容易に判断することができる。
【００８１】
これによって、ユーザの操作負担を軽減させることができる。
【産業上の利用可能性】
【００８２】
本発明の空気調和機のリモコンは、ユーザの操作負担を軽減させることができる。
【図面の簡単な説明】
【００８３】
【図１】本発明の実施形態に係るリモコンを有する空気調和機の概略構成図。
【図２】本発明の実施形態に係るリモコンのパネルを閉状態にした図。
【図３】本発明の実施形態に係るリモコンのパネルを開状態にした図。
【図４】本発明の実施形態に係るリモコンの制御ブロック図。
【図５】通常表示画面が表示されている表示部の正面図。
【図６】メニュー表示画面の有する第１表示が表示されている表示部の正面図。
【図７】メニュー表示画面の有する第２表示が表示されている表示部の正面図。
【図８】メニュー表示画面の有する第２表示が表示されている表示部の正面図。
【図９】メニュー表示画面の有する設定表示が表示されている表示部の正面図。
【図１０】メニュー表示画面の有する設定表示が表示されている表示部の正面図。
【図１１】メニュー表示画面の有する設定完了表示が表示されている表示部の正面図。
【図１２】メニュー表示画面の有する設定完了表示が表示されている表示部の正面図。
【図１３】本発明の実施形態に係るリモコンの有する制御部の処理を示すフローチャート。
【図１４】本発明の実施形態に係るリモコンの有する制御部の処理を示すフローチャート。
【図１５】本発明の実施形態に係るリモコンの有する制御部の処理を示すフローチャート。
【符号の説明】
【００８４】
１      リモコン
３２      表示部
３２ａ    通常表示画面
３２ｂ    第１表示
３２ｃ，３２ｄ  第２表示
３２ｅ，３２ｆ  設定表示
３２ｇ，３２ｈ  設定完了表示
３７      「選択」ボタン（操作受け部）
３８      「決定」ボタン（操作受け部）
４１      「選択」の表示（操作表示）
４２      「決定：送信」の表示（操作表示）
６０      制御部
１００      空気調和機
【図１】
0004650480.tif 000002
【図２】
0004650480.tif 000003
【図３】
0004650480.tif 000004
【図４】
0004650480.tif 000005
【図５】
0004650480.tif 000006
【図６】
0004650480.tif 000007
【図７】
0004650480.tif 000008
【図８】
0004650480.tif 000009
【図９】
0004650480.tif 000010
【図１０】
0004650480.tif 000011
【図１１】
0004650480.tif 000012
【図１２】
0004650480.tif 000013
【図１３】
0004650480.tif 000014
【図１４】
0004650480.tif 000015
【図１５】
0004650480.tif 000016